(57)【要約】【課題】使用者が近くにいないと推定される場合でも副材料投入報知を行っていた。【解決手段】ヒータ２で加熱される焼成室４と、前記焼成室４内に着脱自在に装着されるパン焼き型３と、前記パン焼き型３の内底部に設けられモータ５により駆動される練り羽根６と、前記焼成室４内の温度を検知する温度検知装置７と、調理条件を入力する入力装置９と、前記温度検知装置７からの温度および前記入力装置９からの入力情報によりパン焼き制御を行う制御装置１０と、レーズンやナッツ等の副材料投入時や調理終了の報知などを行う報知装置８とを備え、条件によって、前記副材料投入時の報知を停止するもので、例えば、利用者が近くにいないと推定される場合とかに副材料投入報知を停止するようにすれば、無駄な報知を減らすことができる。【選択図】図９
2008000254.tif 000002
【特許請求の範囲】
【請求項１】
ヒータで加熱される焼成室と、前記焼成室内に着脱自在に装着されるパン焼き型と、前記パン焼き型の内底部に設けられモータにより駆動される練り羽根と、前記焼成室内の温度を検知する温度検知装置と、調理条件を入力する入力装置と、前記温度検知装置からの温度および前記入力装置からの入力情報によりパン焼き制御を行う制御装置と、レーズンやナッツ等の副材料投入時や調理終了の報知などを行う報知装置とを備え、条件によって、前記副材料投入時の報知を停止する自動製パン機。
【請求項２】
条件を、予約調理時に限定する請求項１に記載の自動製パン機。
【請求項３】
条件を、所定の調理終了時刻から所定時間のみに限定する請求項１に記載の自動製パン機。
【請求項４】
部屋の明るさを検知する光量検知装置を備え、前記光量検知装置の検知量が所定値未満の場合を条件とする請求項１に記載の自動製パン機。
【請求項５】
部屋の音量を検知する音量検知装置を備え、前記音量検知装置の検知量が所定値未満の場合を条件とする請求項１に記載の自動製パン機。
【請求項６】
副材料投入時期を報知する際の音量を変える報知音量可変手段を搭載した請求項１〜５のいずれか１項に記載の自動製パン機。
【請求項７】
副材料投入の報知中に報知音を停止する報知停止手段を備えた請求項１〜６のいずれか１項に記載の自動製パン機。
【発明の詳細な説明】
【技術分野】
【０００１】
本発明は、一般家庭で使用される自動製パン機に関するもので、特に、レーズンやナッツ等の副材料投入時期の報知に関するものである。
【背景技術】
【０００２】
従来のこの種の製パン機は、図９に示されるように構成された（例えば、特許文献１参照）。
【０００３】
図９は、上記特許文献１に記載された従来の製パン機の概略を示す図で、製パン機１は、ヒータ２と、パン焼き型３と、ヒータ２により加熱されると共にパン焼き型３を内部に有しパンを焼成する焼成室４と、パン焼き型３の底に着脱自在に設けられパン生地を捏ね上げる練り羽根６と、ベルト１６とプーリー１７により動力を伝達させて練り羽根６を回転させるモータ５と、焼成室４内の温度を検知するサーミスタ等からなる温度検知装置７と、レーズンやナッツ等の副材料の投入時期をお知らせする報知装置８と、メニュー選択や調理スタートの入力を行う入力装置９と、温度検知装置７によって検知された温度により、ヒータ２やモータ５、報知装置８を制御するマイクロコンピューターを搭載した制御装置１０と、メニューや調理時間等を表示する表示装置１１とから構成されている。
【特許文献１】特開２００２−３１２８５８号公報
【発明の開示】
【発明が解決しようとする課題】
【０００４】
しかしながら、上記従来の製パン機の構成では、レーズン食パンをタイマ予約で調理スタートした場合、調理開始から長時間経過後に、報知装置８で副材料投入報知を行うので、利用者が近くにいない状態で報知が行われるという課題があった。
【０００５】
本発明は、上記従来の課題を解決するもので、条件により副材料の投入時期の報知を行わないようにして、無駄な報知を減らすことができる自動製パン機を提供することを目的とする。
【課題を解決するための手段】
【０００６】
前記従来の課題を解決するために、本発明の自動製パン機は、ヒータで加熱される焼成室と、前記焼成室内に着脱自在に装着されるパン焼き型と、前記パン焼き型の内底部に設けられモータにより駆動される練り羽根と、前記焼成室内の温度を検知する温度検知装置と、調理条件を入力する入力装置と、前記温度検知装置からの温度および前記入力装置からの入力情報によりパン焼き制御を行う制御装置と、レーズンやナッツ等の副材料投入時や調理終了の報知などを行う報知装置とを備え、条件によって、前記副材料投入時の報知を停止するもので、例えば、利用者が近くにいないと推定される場合とかに副材料投入報知を停止するようにすれば、無駄な報知を減らすことができる。
【発明の効果】
【０００７】
本発明の自動製パン機は、タイマ予約調理などで、近くに利用者がいないと推定される場合などに、副材料投入時期の報知を行わないようにして、無駄な報知を防止することができる。
【発明を実施するための最良の形態】
【０００８】
第１の発明は、ヒータで加熱される焼成室と、前記焼成室内に着脱自在に装着されるパン焼き型と、前記パン焼き型の内底部に設けられモータにより駆動される練り羽根と、前記焼成室内の温度を検知する温度検知装置と、調理条件を入力する入力装置と、前記温度検知装置からの温度および前記入力装置からの入力情報によりパン焼き制御を行う制御装置と、レーズンやナッツ等の副材料投入時や調理終了の報知などを行う報知装置とを備え、条件によって、前記副材料投入時の報知を停止するもので、例えば、利用者が近くにいないと推定される場合とかに副材料投入報知を停止するようにすれば、無駄な報知を減らすことができる。
【０００９】
第２の発明は、特に、第１の発明の条件を、予約調理時に限定するもので、予約開始から長時間後は、利用者が近くにいない可能性が大なので、副材料投入時期報知を停止することにより、無駄な報知を減らすことができる。
【００１０】
第３の発明は、特に、第１の発明の条件を、所定の調理終了時刻から所定時間のみに限定するもので、例えば、条件を、就寝時を想定した時間帯とすれば、就寝時に、副材料投入時期の報知で睡眠が妨げられるということが無い。
【００１１】
第４の発明は、特に、第１の発明の部屋の明るさを検知する光量検知装置を備え、前記光量検知装置の検知量が所定値未満の場合を条件とするもので、光量検知装置が検知する光量が所定値未満の場合には、部屋に人がいないと想定されるので、このときに副材料投入時期の報知を停止することで、無駄な報知を減らすことができる。
【００１２】
第５の発明は、特に、第１の発明の部屋の音量を検知する音量検知装置を備え、前記音量検知装置の検知量が所定値未満の場合を条件とするもので、音量検知装置で検知される音量が所定値未満の場合には、部屋に人がいないと想定されるので、このときに副材料投入時期の報知を停止することで、無駄な報知を減らすことができる。
【００１３】
第６の発明は、特に、第１〜５のいずれか一つの発明の副材料投入時期を報知する際の音量を変える報知音量可変手段を搭載したもので、報知音量が自由に変えられるので、聞こえやすさを好みに合わせて報知の際の音量を設定して、快適に自動製パン機を利用できる。
【００１４】
第７の発明は、特に、第１〜６のいずれか一つの発明の副材料投入の報知中に報知音を停止する報知停止手段を備えたもので、副材料投入報知少し前に、投入時期がわかった場合に、報知を停止して、無用な報知を行わないようにすることができる。
【００１５】
以下、本発明の実施の形態について、図面を参照しながら説明する。なお、この実施の形態によって本発明が限定されるものではない。
【００１６】
（実施の形態１）
本発明の第１の実施の形態における自動製パン機について、図１〜３を用いて説明する。
【００１７】
図１は、本実施の形態における自動製パン機の入力装置及び表示装置の詳細図である。なお、本実施の形態における自動製パン機の基本構成は、従来例と同一なので、同一部品については、同一符号を付してその説明を省略する。
【００１８】
図１において、入力装置９内には、調理メニューを選択するメニュースイッチ９ａ、調理の予約を行う予約スイッチ９ｂ、予約時間をアップするＵＰスイッチ９ｃ、予約時間をダウンするＤＯＷＮスイッチ９ｄ、報知装置８でレーズン等の副材料の投入報知を行う際の音量を変えることができる報知音量可変手段である音量スイッチ９ｅ、選択されたメニューの調理を開始したり停止したりするスタート／切りスイッチ９ｆとを備えている。
【００１９】
また液晶表示装置１１ａ（以後「ＬＣＤ１１ａ」という）には、選択されたメニューや調理残時間、副材料投入のお知らせと副材料投入時の音量が表示されている。
【００２０】
以上のように構成された本実施の形態における自動製パン機の動作について説明する。
【００２１】
まず、メニュースイッチ９ａを操作して、食パンメニューを選択する。また食パンメニューの調理時間は４時間で、調理開始後２０分後に、副材料であるレーズンのレーズン投入時期となっている。今回は、メニュースイッチ９ａを操作して、次に音量スイッチ９ｅを操作して、音量「小」を選択する。
【００２２】
その状態でスタート／切りスイッチ９ｆを操作して調理をスタートさせると、図２（ａ）に示す表示となる。その後調理時間２０分が経過すると、レーズン投入時期となり、図２（ｂ）に示すように、ＬＣＤ１１ａにレーズン投入表示を行う。また、その表示に合わして、報知装置８により、図示しないブザーにて、設定された音量「小」で副材料投入報知を行う。
【００２３】
次に、予約スイッチ９ｂを操作してからＵＰスイッチ９ｃを操作して、調理時間を１３時間に延長した上で、スタート／切りスイッチ９ｆを操作して調理をスタートさせると図３（ａ）に示す表示となる。その後調理時間９時間２０分が経過すると、レーズン投入時期となり、図３（ｂ）に示すように、ＬＣＤ１１ａにレーズン投入表示を行うが、本実施の形態では、予約調理のため、報知装置８によるブザー報知は行わない。
【００２４】
このように、予約調理を行った場合には、レーズン投入のブザー報知を停止することで、利用者が近くにいないと想定できる時には、不要なブザー報知を停止することができる。
【００２５】
また、利用者が睡眠をしている時などに、不要なブザー報知を行わないことにより、ブザー報知による不快な状態を軽減することができる。
【００２６】
（実施の形態２）
本発明の第２の実施の形態における自動製パン機について、図４〜６を用いて説明する。
【００２７】
図４は、本実施の形態における自動製パン機の入力装置９と表示装置１１の詳細図である。なお、上記実施の形態１と同一部分については、同じ符号を付して、その説明を省略する。
【００２８】
本実施の形態では、レーズン投入時のブザー報知中に報知を停止する報知停止手段として報知停止スイッチ９ｇを備えたものである。また、ＬＣＤ１１ｂには、選択されるメニューやでき上がり時刻、レーズン投入のお知らせとレーズン投入時の音量が表示されている。
【００２９】
以上のように構成された製パン機の動作について説明する。
【００３０】
まず、メニュースイッチ９ａを操作して、食パンメニューを選択する。また食パンメニューの調理時間は４時間で調理開始後２０分後にレーズン投入時期となっている。ＵＰスイッチ９ｃまたはＤＯＷＮスイッチ９ｄを操作して、でき上がり時刻を１３時０分とする。また、音量スイッチ９ｅを操作して、音量「小」を選択する。その状態でスタート／切りスイッチ９ｆを操作して調理をスタートさせると図５（ａ）に示す表示となる。
【００３１】
調理シーケンスを実行して、レーズン投入時期になると、図５（ｂ）に示す表示となり、ＬＣＤ１１ｂにレーズン投入表示を行う。また、その表示に合わせて、報知装置８によりブザーにて、設定された音量「小」でレーズン投入報知を行う。またブザー報知中に報知停止スイッチ９ｇを操作すると、ブザー報知を停止することができる。
【００３２】
次に、ＵＰスイッチ９ｃまたはＤＯＷＮスイッチ９ｄを操作して、でき上がり時刻を７時０分として、スタート／切りスイッチ９ｆを操作して調理をスタートさせると図６（ａ）に示す表示となる。レーズン投入時期になると、図６（ｂ）に示す表示となり、ＬＣＤ１１ｂにレーズン投入表示を行うが、本実施の形態では、調理終了時刻が５時０分から９時０分までの間に設定されている場合は、報知装置８によるブザー報知は行わないようにしている。
【００３３】
こうすることにより、利用者が、就寝時に副材料投入時期の報知で睡眠が妨げられるということが無い。
【００３４】
なお、上気実施の形態では、でき上がり時刻５時〜９時までをレーズン投入報知停止時刻としているが、この時刻に限定しているものではない。
【００３５】
（実施の形態３）
図７は、本発明の第３の実施の形態における自動製パン機の概略構成を示す図である。なお、上記実施の形態１と同一部分については、同じ符号を付して、その説明を省略する。
【００３６】
本実施の形態は、図７に示すように、製パン機１が置かれた部屋の照度を検知する光量検知装置１２を備え、光量検知装置１２で検知された照度が３００ルクス以上の場合には、部屋に利用者がいると判断して、レーズン投入時にレーズン投入報知を行うようにしたものである。
【００３７】
なお、上記実施の形態では、レーズン投入時の報知を、照度が３００ルクス以上の場合に行うとしているが、この値に限定しているものではない。
【００３８】
（実施の形態４）
図８は、本発明の第４の実施の形態における自動製パン機の概略構成を示す図である。なお、上記実施の形態１と同一部分については、同じ符号を付して、その説明を省略する。
【００３９】
本実施の形態は、図８に示すように、製パン機１が置かれた部屋の音量を検知する音量検知装置１３を備え、音量検知装置１３で検知された音量が４０デジベル以上の場合には、部屋に利用者がいると判断して、レーズン投入時にレーズン投入報知を行うようにしたものである。
【００４０】
なお、上記実施の形態では、レーズン投入時の報知を、音量が４０デジベル以上の場合に行うようにしたが、この値に限定しているものではない。
【産業上の利用可能性】
【００４１】
以上のように、本発明にかかる自動製パン機は、使用者が近くに居ないと推定されるときに、副材料投入時期報知を停止して無駄な報知を減らすもので、同じようにデニッシュパンのバター投入報知などにも適用できる。
【図面の簡単な説明】
【００４２】
【図１】本発明の実施の形態１における自動製パン機の入力装置及び表示装置の詳細図
【図２】（ａ）、（ｂ）同入力装置と表示装置の動作例１を示す図
【図３】（ａ）、（ｂ）同入力装置と表示装置の動作例２を示す図
【図４】本発明の実施の形態２における自動製パン機の入力装置及び表示装置の詳細図
【図５】（ａ）、（ｂ）同入力装置と表示装置の動作例３を示す図
【図６】（ａ）、（ｂ）同入力装置と表示装置の動作例４を示す図
【図７】本発明の実施の形態３における自動製パン機の概略構成を示す図
【図８】本発明の実施の形態４における自動製パン機の概略構成を示す図
【図９】従来の製パン機及び本発明の実施の形態１における自動製パン機の概略構成を示す図
【符号の説明】
【００４３】
１  製パン機
２  ヒータ
３  パン焼き型
４  焼成室
５  モータ
６  練り羽根
７  温度検知装置
８  報知装置
９  入力装置
９ｅ  音量スイッチ（報知音量可変手段）
９ｇ  報知停止スイッチ（報知停止手段）
１０  制御装置
１１  表示装置
１２  光量検知装置
１３  音量検知装置
【図１】
2008000254.tif 000003
【図２】
2008000254.tif 000004
【図３】
2008000254.tif 000005
【図４】
2008000254.tif 000006
【図５】
2008000254.tif 000007
【図６】
2008000254.tif 000008
【図７】
2008000254.tif 000009
【図８】
2008000254.tif 000010
【図９】
2008000254.tif 000011